(57)【要約】      （修正有）【課題】ほうき毛束体を有する毛束取付部材の交換作業を簡単かつ迅速に実施可能にする。【解決手段】毛束取付部材の中央部付近に取付金具を固定し、この取付金具に対し筒状金具４の一端部を軸支し、この筒状金具４の他端部からこの筒状金具内に円筒状胴部１５ａを持つ装着部材を圧入し、この装着部材の円筒状胴部１５ａ内にほうき柄の端部を螺合および螺合解除可能にする螺合部２０を設ける。【選択図】図８
0003139955.tif 000002
【実用新案登録請求の範囲】
【請求項１】
横長に植毛されたほうき毛束体の毛束取付部材に、ほうき柄を着脱可能に取付けるための自在ほうき取付具であって、
前記毛束取付部材の上部中央部付近に固着される取付金具と、
上部が開口され、下端部に一対の切欠部が形設され、その下部で前記取付金具に左右上下動可能に軸支される筒状金具と、
該筒状金具の内周に圧着可能な円筒状胴部を有し、その下部の先端にそれぞれ外方向に突出する係止爪が突出されている一対の脚部を形設すると共に、内周面に螺旋溝が形設されているほう柄の装着部材とからなり、
該装着部材を前記取付金具に挿入し、前記係止爪を前記切欠部に係止させて該取付金具を筒状金具に装着すると共に、該装着部材の前記円筒状胴部内に前記ほうき柄の螺旋状端部を螺合することを特徴とする自在ほうき取付具。
【請求項２】
前記装着部材が、合成樹脂の一体成型品であることを特徴とする請求項１に記載の自在ほうき取付具。
【考案の詳細な説明】
【技術分野】
【０００１】
本考案は、家庭用や業務用の清掃具として用いられる自在ほうき取付具に関する。
【背景技術】
【０００２】
家庭用や業務用の床面清掃具として用いられる自在ほうきは、例えば複数組の毛束からなるほうき毛束体の端部が横長の毛束取付部材に固定的に取り付けられ、この毛束取付部材の中央部付近に、ほうき柄の下端をボルト・ナットなどの連結部材によって連結したものからなる（例えば、特許文献１参照）。
【０００３】
この自在ほうきでは、連結部材による連結部において、ほうき柄に対し毛束取付部材が回動自在に支持される構成となっている。また、ほうき柄を操作し、ほうき毛束体下端部を床面等に押し当て、ゴミや埃を吐き出すことによって、清掃が簡単に行える。
【特許文献１】特開平１０−１１３３２１号公報
【考案の開示】
【考案が解決しようとする課題】
【０００４】
しかしながら、前記のような従来の自在ほうきにあっては、清掃によるほうき毛束体の磨耗や汚損の程度に応じて、そのほうき毛束体と一体の毛束取付部材を適時に交換することが必要であり、この交換時には、毛束取付部材をボルト・ナットを緩めるなどしてほうき柄から取り外したり、再びボルト・ナットを用いて付け直したりする作業が極めて煩雑となっている。この結果、この交換の作業時間が清掃作業の能率を低下させるという不都合があった。
【０００５】
本考案は、前記のような従来の自在ほうきの問題点を解決するためになされたものであり、ほうき毛束体を有する毛束取付部材の交換作業を簡単かつ迅速に実施することができ、これにより速やかに清掃作業を開始または再開することができる自在ほうき取付具を提供することを目的とする。
【課題を解決するための手段】
【０００６】
前記目的達成のために、本考案にかかる自在ほうき取付具は、毛束取付部材の上部中央部付近に固着される取付金具と、上部が開口され、下端部に一対の切欠部が形設され、その下部で前記取付金具に左右上下動可能に軸支される筒状金具と、
該筒状金具の内周に圧着可能な円筒状胴部を有し、その下部の先端にそれぞれ外方向に突出する係止爪が突出されている一対の脚部を形設すると共に、内周面に螺旋溝が形設されているほう柄の装着部材とからなり、該装着部材を前記取付金具に挿入し、前記係止爪を前記切欠部に係止させて該取付金具を筒状金具に装着すると共に、該装着部材の前記円筒状胴部内に前記ほうき柄の螺旋状端部を螺合することを特徴とする。
【０００７】
この構成により、前記円筒状胴部に対する前記ほうき柄の取り付けおよび取り外しを何人も片手で迅速かつ容易に実施することができる。従って、使用によるほうき毛束体の劣化や汚損に伴ってなされるほうき毛束体の交換を速やかに実施でき、この交換作業が清掃作業に及ぼす時間的ロスを最小限に抑えることができる。
【０００８】
また、本考案にかかる自在ほうき取付具は、前記装着部材が、合成樹脂の一体成型品であることを特徴とする。
【０００９】
この構成により、木材や金属などからなる硬質のほうき柄を塩化ビニルなどの合成樹脂からなる円筒状胴部に挿し込んで螺合した際に、その合成樹脂独特の柔軟性または弾性によって、その螺合状態が緊密化する。このため、ほうき柄に対する円筒状胴部の保持状態がぐらつくことなく安定化し、清掃作業時における連結部の緩み発生を確実に防止することができる。
【考案の効果】
【００１０】
本考案によれば、装着部材を介しての筒状金具とほうき柄の一体連結およその連結解除の操作を、何人も容易かつ迅速に実施でき、従って、ほうき毛束体を持つ毛束取付部材のほうき柄に対する交換作業およびこれに続く清掃作業を能率的に実施することができるという利点が得られる。
【考案を実施するための最良の形態】
【００１１】
以下に、本考案の実施形態による自在ほうき取付具を、図面を参照して詳細に説明する。
図面において、図１は、本実施の形態による自在ほうき取付具を装着した自在ほうきの全体構成を示す斜視図、図２は、図１に示す自在ほうきの要部を拡大した正面図、図３は、図２に示す自在ほうきの要部を拡大した側面図、図４は、本実施の形態における自在ほうき取付金具を示す斜視図、図５は、この取付金具の縦断面図、図６は、本実施の形態における筒状金具の正面図、図７は、図６に示す筒状金具の側面図、図８は、ほうき柄の装着部材を装着した状態を示す筒状金具の縦断面図、図９は、ほうき柄の装着部材を装着した状態を示す筒状金具の縦断面図、図１０は、本実施の形態におけるほうき柄の装着部材を示す側面図、図１１は、図１０に示す装着部材の正面図、図１２は、図１０に示す装着部材の平面図、図１３は、ほうき柄との螺合関係を示す装着部材の縦断面図である。
【００１２】
本実施の形態による自在ほうき柄取付具は、基本的に、毛束取付部材の中央部付近に取付金具を固定し、この取付金具に対し筒状金具の一端部を軸支し、この筒状金具の他端部からこの筒状部内に円筒部を持つ装着部材を圧入し、この装着部材の円筒状胴部内にほうき柄の端部を螺合および螺合解除可能にする螺合部を設けた構成である。。
【００１３】
これによって、装着部材に対するほうき柄の取り付けおよび取り外しを片手で迅速かつ容易に実施可能にすることができる。従って、使用によるほうき毛束体の劣化に伴ってなされるほうき毛束体の交換を速やかに実施でき、この交換作業が清掃作業に及ぼす時間的ロスを最小限に抑えることが可能になる。
【００１４】
図１〜図３において、本実施の形態による自在ほうき取付具Ａは、ほうき毛束体下部に取付けた横長の毛束取付部材２と、この毛束取付部材２の中央部付近にこれを挟むように取付けられた取付金具３と、この取付金具３に軸支された筒状金具４とからなる。
また、この筒状金具４にはほうき柄５の一端（下端）が連結され、これらが毛束取付部材２、取付金具３および筒状金具４とともにほうき本体を構成している。
【００１５】
毛束取付部材２は、例えば木材を横長の棒状に加工したものからなり、その下面に複数の毛束を整然と並べたほうき毛束体１が、周知の方法（例えば、複数の取付孔に毛束の端部を埋め込んで接着剤で固定する方法など）によって取付けられている。毛束取付部材２は断面が略矩形をなし、長さ方向の中央部付近に取付金具３が一体に固定されている。
【００１６】
この取付金具３は、図４および図５に示すように、同一形状の２枚の屈曲板６、７を対称配置状態にて接合したものからなる。これらの屈曲片６、７は上部垂直片６ａ、７ａ、水平片６ｂ、７ｂおよび下部垂直片６ｃ、７ｃを持つ。下部垂直片６ｃ、７ｃにはこれらを毛束取付部材２に取付けるための２個づつのネジ挿通孔８、９が設けられている。
【００１７】
また、上部垂直片６ａ、７ａには、一個の突起部１０と一個の透孔１１が左右対称の位置に設けられている。そして、これらの垂直片６ａ、７ａでは、一方の突起部１０が他方の透孔１１に嵌合し、従って、各垂直片６ａ、７ａは相互に密着するも、相対移動が規制されることとなる。
【００１８】
さらに、上部垂直片６ａ、７ａの上部中央には、図５に示すような隆起部１２、１３がそれぞれ形成され、これらの隆起部１２の中央部にはネジ挿通孔１４が設けられている。これらの屈曲板６、７は、これらの下部垂直板６ｃ、７ｃ間に前記毛束取付部材２を前後面から挟むようにして、取付けられる。
【００１９】
前記筒状金具４は、図６〜図９に示すように、板金を筒状に加工した筒状部４ａと、この筒状部４ａの下部を絞り加工によって成形した一対の平らな舌片４ｂ、４ｂとからなる。これらの舌片４ｂ、４ｂ間には、前記の接合状態の２枚の屈曲片６、７を同時に挟持可能な間隙Ｇが設けられている。舌片４ｂ、４ｂの互いに対向する位置には、それぞれネジ挿通孔４ｃがもうけられている。
なお、図８および図９は、後述の装着部材１５を装着した状態の筒状金具４をそれぞれ示してある。
【００２０】
図１０〜図１２は、筒状金具４に装着される装着部材１５を示す。この装着部材１５は、ＡＢＳ樹脂などの合成樹脂により一体成形され、これが円筒状胴部１５ａと、この円筒状胴部１５ａの下端部に連設された一対の脚部１５ｂを有する。この円筒状胴部１５ａの上端周縁には鍔部１６が突設され、この鍔部１６の一部に上方に向かって突片１７が突設されている。この突片１７には透孔１８が形成されている。
【００２１】
また、前記脚部１５ｂの下端には、互いに対向する側とは反対方向に、係止爪１９が突設されている。なお、各脚部１５ｂ  はある程度の柔軟性および弾力性を持つ。さらに、円筒状胴部１５ａの内周面には、図１２および図１３に示すような螺状部２０が突設されている。なお、図１３においては、この螺状部２０に螺合可能な凹形の螺状部２１を持ったほうき柄５を、合わせて示してある。
【００２２】
次に、前記自在ほうき取付具Ａを用いてほうきを組み付ける手順を説明する。
まず、ほうき毛束体１の毛束取付部材２と２つの屈曲片６、７を用意する。屈曲片６、７はこれらの一方に設けられた突起部１０を、他方に設けられた透孔１１に嵌合させるようにして、各垂直片６ａ、７ａを図４に示すように重ね合わせる。このため、各隆起部１２、１３に形成された各ネジ挿通孔１４が連通状態になる。
【００２３】
そして、垂直片６ａ、７ａのこの重ね合わせ状態が維持されるように、互いに対向する垂直片６ｃ、７ｃ間に毛束取付部材２の中央部付近を挟み込ませる。さらに、各ネジ挿通孔８、９を通して止めネジ２２を、図２および図３に示すように、毛束取付部材２の側面にネジ込む。これにより、毛束取付部材２に大して取付金具３が固定される。
【００２４】
次に、筒状金具４を用意し、この筒状金具４下端にある一対の舌片４ｂ、４ｂの間隙Ｇに，前記屈曲片６、７の各隆起部１２を同時に挟み込むように挿入する。このとき各舌片４ｂ側のネジ挿通孔４ｃと前記隆起部１２側のネジ挿通孔１４とを連通させ、これらのネジ挿通孔４ｃ、１４にネジ２３を図３に示すように挿通する。
【００２５】
そして、このネジ２３の貫通端には蝶ナット２４をネジ込んで、筒状金具４と取付金具３とを連結する。
なお、このネジ２３に対する蝶ナット２４のネジ込み量を調整することで、取り付け補助部材３を筒状金具４に対して自由に揺動可能にしたり、完全に固定状態にしたりすることができる。
【００２６】
次に、図１０〜図１２に示す装着部材１５を用意する。そして、この装着部材１５の下端にある一対の脚部１５ｂを筒状金具４の筒状部４ａ内に同時に挿し込むとともに、さらに強く圧入する。すると、脚部１５ｂは筒状部４ａの内周面に沿って下降し、ついには、図８および図９に示すように、各係止爪１９が筒状金具４の前記間隙Ｇで抑圧力が開放されて、筒状部４ａの外へ突出し、その切欠４ｄに係止する。
【００２７】
従って、この係止によって装着部材１５が筒状金具４から自由に脱抜することを防止することができるとともに、これらが構造的に一体化される。なお、このとき鍔部１６が筒状金具４の開口上縁を被うこととなる。
【００２８】
続いて、木製のほうき柄５を用意し、このほうき柄５の下端部を、筒状金具４に一体化された装着部材１５内に差し入れる。また、これと同時にほうき柄５をその軸の周りに回転操作して、装着部材１５の螺状部２０にほうき柄５端の螺状部２１を螺合する。そしてこの螺合量が必要かつ十分になると、ほうき柄５は装着部材１５にしっかりと保持され、ほうきとしての通常の使用が可能になる。
【００２９】
このような機能を持つ自在ほうきでは、通常、ほうき毛束体１を持つ毛束取付部材２、取付金具３、装着部材１５、筒状金具４がほうき本体を構成し、このほうき本体が、ほうき柄５に付け替え自在とすることで、ほうき毛束体１の汚損や損耗による適時の交換を容易化できることとなる。
【００３０】
そして、このほうき毛束体１の付け替え作業は、装着部材５に対するほうき柄５のネジ込み操作（回転操作）のみであるため、これらの分解、組み立てによるほうき毛束体の交換が簡単かつ容易になり、従って、清掃作業の時間的ロスも大幅に軽減することができる。
【００３１】
このように、本実施の形態では、毛束取付部材２の中央部付近に取付金具３を固定し、この取付金具３に対し筒状金具４の一端部を軸支し、この筒状金具４の他端部からこの筒状部４内に円筒状胴部１５ａを持つ装着部材１５を圧入し、この装着部材１５の円筒状胴部内１５ａにほうき柄５の端部を螺合および螺合解除可能にする螺合部２０を設けた構成とした。
【００３２】
これによって、装着部材１５に対するほうき柄５の取り付けおよび取り外しを、何人も、片手で迅速かつ容易に実施することができる。従って、使用によるほうき毛束体１の劣化や損耗に伴って適時になされるほうき毛束体１の交換を速やかに実施でき、この交換作業が清掃作業に及ぼす時間的ロスを最小限に抑えることが可能になる。
【産業上の利用可能性】
【００３３】
本考案は、ほうき毛束体を有する毛束取付部材の交換作業を簡単かつ迅速に実施することができるという効果を有し、家庭用や業務用の清掃具として用いるほうきの自在ほうき取付具に有用である。
【図面の簡単な説明】
【００３４】
【図１】本考案の実施の形態による自在ほうき取付具を持つほうきの全体を示す斜視図である。
【図２】図１に示すほうきの要部を拡大した正面図である。
【図３】図２に示すほうきの要部の側面図である。
【図４】本実施の形態における取付金具を示す斜視図である。
【図５】本実施の形態における取付金具を示す縦断面図である。
【図６】本実施の形態における取付金具に装着される筒状金具を示す正面図である。
【図７】本実施の形態における取付金具を示す側面図である。
【図８】本実施の形態におけるほうき柄の装着部材を装着した状態を示す筒状金具の縦断面図である。
【図９】本実施の形態におけるほうき柄の装着部材を装着した状態を示す筒状金具の縦断面図である。
【図１０】本実施の形態におけるほうき柄の装着部材を示す側面図である。
【図１１】図１０に示すほうき柄の装着部材の正面図である。
【図１２】図１０に示すほうき柄の装着部材の平面図である。
【図１３】本実施の形態におけるほうき柄との螺合関係を示す装着部材の縦断面図である。
【符号の説明】
【００３５】
１…ほうき毛束体、２…毛束取付部材、３…取付金具、４…筒状金具、４ａ…筒状部、５…ほうき柄、６，７…屈曲板、１５…装着部材、１５ａ…円筒状胴部、１９…係止爪、２０，２１…螺状部、２３…ネジ、２４…蝶ナット
【図１】
0003139955.tif 000003
【図２】
0003139955.tif 000004
【図３】
0003139955.tif 000005
【図４】
0003139955.tif 000006
【図５】
0003139955.tif 000007
【図６】
0003139955.tif 000008
【図７】
0003139955.tif 000009
【図８】
0003139955.tif 000010
【図９】
0003139955.tif 000011
【図１０】
0003139955.tif 000012
【図１１】
0003139955.tif 000013
【図１２】
0003139955.tif 000014
【図１３】
0003139955.tif 000015